(57)【要約】  １つの態様では、装置は、コアと、コアの少なくとも一部分の周りに配置されたスリーブと、を含む本体構造であって、コアは、コアを通って、コアの第１の端部からコアの第２の端部へ延在するチャンネルを画定し、スリーブは、コアの第２の端部に隣接したフランジを含む、本体構造と、コアの第１の端部に隣接する本体構造に連結された展開可能部分であって、展開可能部分は、留められた構成と展開された構成との間で遷移可能な有線構造を有しており、有線構造の上部は、有線構造が留められた構成にあるときに、コアの第１の端部を長手方向に越えて延在し、コアの第１の端部は、有線構造が展開された構成にあるときに、有線構造の上部を越えて延在する、展開可能部分と、を含む。
2021520975.tif 000002
【特許請求の範囲】
【請求項１】
生物学的組織インターフェイス装置であって、
コアと、前記コアの少なくとも一部分の周りに配置されたスリーブと、を含む本体構造であって、前記コアは、前記コアを通って、前記コアの第１の端部から前記コアの第２の端部へ延在するチャンネルを画定し、前記スリーブは、前記コアの前記第２の端部に隣接したフランジを含む、本体構造と、
前記コアの前記第１の端部に隣接する前記本体構造に連結された展開可能部分であって、前記展開可能部分は、留められた構成と展開された構成との間で遷移可能な有線構造を有しており、前記有線構造の上部は、前記有線構造が前記留められた構成にあるときに、前記コアの前記第１の端部から前記コアの前記第２の端部へ、前記コアの前記第１の端部を長手方向に越えて延在し、前記コアの前記第１の端部は、前記有線構造が前記展開された構成にあるときに、前記有線構造の前記上部を越えて延在する、展開可能部分と、
を備える、生物学的組織インターフェイス装置。
【請求項２】
前記有線構造は、ニチノール、ステンレス鋼、コバルトクロム、又は、これらの合金のうちの少なくとも１つから形成される、請求項１に記載の生物学的組織インターフェイス装置。
【請求項３】
前記展開可能部分の前記有線構造の終点は、前記スリーブの外面に連結されている、請求項１に記載の生物学的組織インターフェイス装置。
【請求項４】
前記展開可能部分の前記有線構造の終点は、前記コアの内面に連結されており、前記内面は、前記チャンネルを画定する、請求項１に記載の生物学的組織インターフェイス装置。
【請求項５】
前記コアは、前記有線構造が前記展開された構成にあるときに、前記有線構造の少なくとも一部分が適合する複数のチャンネルを画定する、請求項４に記載の生物学的組織インターフェイス装置。
【請求項６】
前記有線構造の前記終点は、前記留められた構成と前記展開された構成との間の遷移中に、前記有線構造が回転する回転可能なコネクタを介して、前記コアの前記内面と連結されている、請求項４に記載の生物学的組織インターフェイス装置。
【請求項７】
前記コアは、前記第１の端部に隣接する第１のフランジ及び前記第２の端部に隣接する第２のフランジを含んでおり、前記スリーブは、前記第１のフランジと前記第２のフランジとの間で連結されている、請求項１に記載の生物学的組織インターフェイス装置。
【請求項８】
前記スリーブは、繊維状材料を含む、請求項１に記載の生物学的組織インターフェイス装置。
【請求項９】
前記スリーブは、ポリテトラフルオロエチレン（ＰＴＦＥ）フェルト、ポリエチレンテレフタレート（ＰＥＴ）、又は、ウシ心膜のうちの少なくとも１つを含む、請求項１に記載の生物学的組織インターフェイス装置。
【請求項１０】
前記展開可能部分は、前記有線構造に連結された繊維状材料を含む、請求項１に記載の生物学的組織インターフェイス装置。
【請求項１１】
前記展開可能部分は、前記有線構造に連結された、ポリテトラフルオロエチレン（ＰＴＦＥ）フェルト、ポリエチレンテレフタレート（ＰＥＴ）、又は、ウシ心膜のうちの少なくとも１つを含む、請求項１に記載の生物学的組織インターフェイス装置。
【請求項１２】
前記コアに連結されると共に、前記チャンネルを複数の可撓性部材で覆う、止血弁シールをさらに含む、請求項１に記載の生物学的組織インターフェイス装置。
【請求項１３】
前記コアの前記第２の端部に隣接する、前記コアに連結された第２の展開可能部分をさらに含む、請求項１に記載の生物学的組織インターフェイス装置。
【請求項１４】
生物学的組織インターフェイス装置であって、
コアと、前記コアの少なくとも一部分の周りに配置されたスリーブと、を含む本体構造であって、前記コアは、前記コアを通って、前記コアの第１の端部から前記コアの第２の端部へ延在するチャンネルを画定し、前記本体構造は、前記コアの前記第２の端部から前記コアの前記第１の端部の方向に、前記コアの内面から長手方向に延在する第１の鉛直境界部と、前記コアの前記第２の端部から前記コアの前記第１の端部の方向に、前記本体部分の外面から長手方向に延在する第２の鉛直境界部と、を画定し、前記スリーブは、前記コアの前記第２の端部に隣接するフランジを含む、本体構造と、
前記コアの前記第１の端部に隣接する前記本体構造に連結された展開可能部分であって、前記展開可能部分は、留められた構成と展開された構成との間で遷移可能な有線構造を有しており、前記展開可能部分の端部は、前記有線構造が前記留められた構成にあるときに、前記第１の鉛直境界部の内側で保持されており、前記展開可能部分の端部は、前記有線構造が前記展開された構成にあるときに、前記チャンネルから前記本体部分の外面の方向に、前記第２の鉛直境界部を越えて延在する、展開可能部分と、
を備える、生物学的組織インターフェイス装置。
【請求項１５】
前記有線構造は、ニチノール、ステンレス鋼、コバルトクロム、又は、これらの合金のうちの少なくとも１つから形成される、請求項１４に記載の生物学的組織インターフェイス装置。
【請求項１６】
前記展開可能部分の前記有線構造の終点は、前記本体部分の外面に連結されている、請求項１４に記載の生物学的組織インターフェイス装置。
【請求項１７】
前記展開可能部分の前記有線構造の終点は、前記コアの内面に連結されており、前記内面は、前記チャンネルを画定する、請求項１４に記載の生物学的組織インターフェイス装置。
【請求項１８】
前記コアは、前記有線構造が前記展開された構成にあるときに、前記有線構造の少なくとも一部分が適合する複数のチャンネルを画定する、請求項１７に記載の生物学的組織インターフェイス装置。
【請求項１９】
前記コアは、前記第１の端部に隣接する第１のフランジ及び前記第２の端部に隣接する第２のフランジを含んでおり、前記スリーブは、前記第１のフランジと前記第２のフランジとの間で連結されている、請求項１４に記載の生物学的組織インターフェイス装置。
【請求項２０】
前記スリーブ及び前記展開可能部分の少なくとも１つは、繊維状材料を含む、請求項１４に記載の生物学的組織インターフェイス装置。
【発明の詳細な説明】
【技術分野】
【０００１】
本開示は、組織インターフェイス装置、システム及び方法に関する。
【背景技術】
【０００２】
多くの医療処置では、中空臓器の内部空洞へのアクセスが必要とされる。臓器の内部空洞と血液ポンプ、心室補助装置、バイパス弁、又は、他の装置といった装置との間のアクセスを促進するために、ポート又は他のアクセスポイントを使用することができる。しかしながら、剛体又は半剛体の装置と可鍛性組織（適応性組織、malleable tissue）との間の界面は、界面での体液の漏出の危険性をもたらし得る。さらに、内部空洞上又は内部空洞の内側の異物は、ポート若しくは他のチャンネルを閉塞し得るような、又は、物体を支持すると共に安定化するための安定した新生内膜を提供することに失敗するような、組織の不適切な内部成長の危険性をもたらし得る。
【発明の概要】
【発明が解決しようとする課題】
【０００３】
本概要は、以下に詳細な説明でさらに説明する概念の選択を簡略化した形で紹介するために提供される。本概要は、請求された主題の主要及び／又は本質的な特徴を特定することを意図していない。また、本概要は、いかなる方法でも、請求された主題の範囲を限定することを意図していない。
【課題を解決するための手段】
【０００４】
本開示の態様は、生物学的組織インターフェイス装置及びシステムに関する。１つの態様では、装置は、コアと、コアの少なくとも一部分の周りに配置されたスリーブと、を含む本体構造であって、コアは、コアを通って、コアの第１の端部からコアの第２の端部へ延在するチャンネルを画定し、スリーブは、コアの第２の端部に隣接したフランジを含む、本体構造と、コアの第１の端部に隣接する本体構造に連結された展開可能部分であって、展開可能部分は、留められた構成と展開された構成との間で遷移可能な有線構造を有しており、有線構造の上部は、有線構造が留められた構成にあるときに、コアの第１の端部からコアの第２の端部へ、コアの第１の端部を長手方向に越えて延在し、コアの第１の端部は、有線構造が展開された構成にあるときに、有線構造の上部を越えて延在する、展開可能部分と、を含んでいるが、これに限定されない。
【０００５】
１つの態様では、装置は、コアと、コアの少なくとも一部分の周りに配置されたスリーブと、を含む本体構造であって、コアは、コアを通って、コアの第１の端部からコアの第２の端部へ延在するチャンネルを画定し、本体構造は、コアの第２の端部からコアの第１の端部の方向に、コアの内面から長手方向に延在する第１の鉛直境界部と、コアの第２の端部からコアの第１の端部の方向に、本体部分の外面から長手方向に延在する第２の鉛直境界部と、を画定し、スリーブは、コアの第２の端部に隣接するフランジを含む、本体構造と、コアの第１の端部に隣接する本体構造に連結された展開可能部分であって、展開可能部分は、留められた構成と展開された構成との間で遷移可能な有線構造を有しており、有線構造の端部は、有線構造が留められた構成にあるときに、第１の鉛直境界部の内側で保持されており、有線構造の端部は、有線構造が展開された構成にあるときに、チャンネルから本体部分の外面の方向に、第２の鉛直境界部を越えて延在する、展開可能部分と、を含んでいるが、これに限定されない。
【０００６】
添付の図を参照して、詳細な説明を記載する。
【図面の簡単な説明】
【０００７】
【図１Ａ−Ｂ】図１Ａは、本開示の例示的な実施形態による生物学的組織インターフェイス装置の側面図であり、図１Ｂは、展開された構成における図１Ａの生物学的組織インターフェイス装置の側面図である。
【図１Ｃ−Ｄ】図１Ｃは、本開示の例示的な実施形態による、展開可能部分に繊維状材料を有する生物学的組織インターフェイス装置の側面図であり、図１Ｄは、展開された構成における図１Ｃの生物学的組織インターフェイス装置の側面図である。
【図１Ｅ】図１Ｅは、本開示の例示的な実施形態による、第１の展開可能部分及び第２の展開可能部分を有する生物学的組織インターフェイス装置の展開された構成における等角図である。
【図１Ｆ】図１Ｆは、図１Ｅの生物学的組織インターフェイス装置の側面図である。
【図２Ａ−Ｂ】図２Ａは、留められた構成における図１Ｃの生物学的組織インターフェイス装置の断面図であり、図２Ｂは、展開された構成における図１Ｃの生物学的組織インターフェイス装置の断面図である。
【図３Ａ−Ｂ】図３Ａは、心臓壁の部分断面図であり、図３Ｂは、開口部が形成された、図３Ａの心臓壁の部分的な断面図である。
【図３Ｃ−Ｄ】図３Ｃは、本開示の例示的な実施形態による、図３Ｂの心臓壁の開口部に挿入するように配置された生物学的組織インターフェイス装置の部分等角図であり、図３Ｄは、心臓壁の開口部に挿入された図３Ｃの生物学的組織インターフェイス装置の部分等角図である。
【図３Ｅ】図３Ｅは、心臓壁の開口部に挿入された、留められた構成における展開可能部分を有する図３Ｃの生物学的組織インターフェイス装置の部分断面図である。
【図３Ｆ】図３Ｆは、心臓壁の開口部に挿入された、展開された構成における展開可能部分を有する図３Ｃの生物学的組織インターフェイス装置の部分断面図である。
【図４Ａ−Ｂ】図４Ａは、本開示の例示的な実施形態による、生物学的組織インターフェイス装置の部分断面図であり、図４Ｂは、もう１つの物体を有して展開された構成へ遷移した、図４Ａの生物学的組織インターフェイス装置の部分断面図である。
【図５Ａ−Ｂ】図５Ａは、本開示の例示的な実施形態による、生物学的組織インターフェイス装置の部分断面図であり、図５Ｂは、本開示の例示的な実施形態による、展開された構成における図５Ａの生物学的組織インターフェイス装置の部分断面図である。
【図６Ａ】図６Ａは、本開示の例示的な実施形態による、止血弁シールの等角図である。
【図６Ｂ】図６Ｂは、展開されていない構成で止血インターフェイス装置内に配置された図６Ａの止血弁シールの断面図である。
【図６Ｃ】図６Ｃは、展開された構成で止血インターフェイス装置内に配置された図６Ａの止血弁シールの断面図である。
【発明を実施するための形態】
【０００８】
本開示の態様は、本明細書の一部を形成し、実例として、例示的な特徴を示す添付図面を参照して、以下に、さらに十分に説明される。しかしながら、特徴は、多くの異なる形式で具現化することができ、本明細書に記載された組み合わせに限定されると解釈されるべきではなく、むしろ、これらの組み合わせは、本開示が、徹底かつ完全なものとなり、本開示の範囲を完全に伝えるように提供される。それゆえ、以下の詳細な説明は、限定的な意味に取られるべきではない。
【０００９】
本明細書では、生物学的器官のような生物学的組織に対して安定した界面を提供し、安定した組織の内部成長を許容し、開口部に沿って組織沈着することなく、器官の壁を通る開口部を器官の内部に提供するための装置が記載されている。例えば、装置は、生来の生物学的組織と装置材料との間のチャンネルにおいて、露出した基質の円滑な遷移を許容する、安定した過形成及び新内膜形成のための表面を提供しながら、器官の外部と器官の内部との間の流体又は他の物質の通路、外部装置（例えば、ポンプ、導管等）との連結を促進するために器官に対する装置の支持、又は、これらの組み合わせを許容する。図１Ａから図２Ｂを参照すると、一般的に、本体部分１０２と、展開可能部分１０４と、を含む装置１００が示されている。本体部分１０２は、コア１０６の第１の端部１１０と第１の端部１１０の遠位部分であるコア１０６の第２の端部１１２との間に、一般的に、円筒状のチャンネル１０８（図２Ａ及び図２Ｂに示すように）を画定するコア１０６を含む。本体部分１０２は、また、コア１０６と連結されたスリーブ１１４を含む。実施形態では、スリーブ１１４は、スリーブ１１４から、コア１０６の位置に対して外側へ向けて延在するフランジ１１６を含む。例えば、スリーブ１１４は、第１の端部１１０に隣接して配置されたコア１０６の第１のフランジ１１８と第２の端部１１２に隣接して配置されたコア１０６の第２のフランジ１２０との間に連結され得る。スリーブ１１４の外面は、装置１００が生来の生物学的組織の開口部に挿入されるときに、止血を促進することができる（例えば、圧力を及ぼすために、スリーブ１１４の外面１１５を生物学的組織と物理的に接触させる等によって）。コア１０６は、生来の生物学的物質の沈着を制限するため、生来の生物学的物質の内部成長を制限するため、又は、これらの組み合わせを制限するために、チャンネル１０８を画定する滑らかな内面１２２を有する剛体又は半剛体材料から形成されている。チャンネル１０８は、装置１００を通じた、及び、装置１００の周囲の、流体の流れを制御又は方向付けするためのポンプ又は導管で満たされ得る（例えば、右心室補助装置（ＲＶＡＤ）又は左心室補助装置（ＬＶＡＤ）を適合する、心房室ブロック（ＡＶＢ）をバイパスする等）。チャンネル１０８は、代わりに、又は、追加で、（例えば、ポンプ又は導管の挿入の前又は後に）止血を提供するために、若しくは、チャンネル１０８の１つ又は複数の端部を通る流体の流れを制限するために、チャンネル１０８の１つ又は複数の端部（例えば、第２の端部１１２）を遮断するように、プラグ又は他の構造的な障害物（例えば、バルブ）を取り付けてもよい。スリーブ１１４は、一般的に、生来の生物学的物質の内部成長を支援し、かつ、止血を支援するための物質から形成される、又は、物質を含む。例えば、スリーブ１１４は、繊維状材料、ポリテトラフルオロエチレン（ＰＴＦＥ）フェルト、ポリエチレンテレフタレート（ＰＥＴ）、ウシ心膜（bovine pericardium）等、又は、これらの組み合わせを含むことができるが、これらに限定されない。
【００１０】
第２の構成において展開されたときに（例えば、図３Ｆに示すように）、フランジ１１６と展開可能部分１０４との間に生物学的組織を保持することによって、第２の構成において、装置１００を生物学的組織に対する所定の位置に保持するために、展開可能部分１０４は、第１の構成（例えば、図１Ａ、図１Ｃ、図２Ａ、図３Ｃ、図３Ｅに示される折り畳まれた又は留められた構成）と第２の構成（例えば、図１Ｂ、図１Ｄ、図１Ｅ、図１Ｆ、図２Ｂ、図３Ｆに示される展開された構成）との間で遷移するように構成されている。実施形態では、装置は、フランジ１１６の代わりに、又は、フランジ１１６に追加して、第２の展開可能部分１０４を含む。例えば、図１Ｅ及び図１Ｆを参照すると、装置１００は、コア１０６の第１の端部１１０に隣接する第１の展開可能部分１０４（１０４Ａとして示される）と、コア１０６の第２の端部１１２に隣接する第２の展開可能部分１０４（１０４Ｂとして示される）、とを含む。各展開可能部分１０４が、第２の構成にあるとき、装置１００は、各展開可能部分１０４の間に生物学的組織を保持することによって、所定の位置に保持され得る。
【００１１】
実施形態では、展開可能部分１０４又はその一部分は、刺激（例えば、温度、電気信号、化学物質の存在、等）に応答して、保持装置若しくはツール、又は、これらの組み合わせに応答して、第１の構成と第２の構成との間で展開可能部分１０４を遷移させるために、自己拡張式のスマート材料から形成されている。例えば、展開可能部分１０４は、温度変化（例えば、生物学的組織への挿入に続くような、装置１００の周囲環境の温度の増加又は減少を通じた、第１の構成から第２の構成への遷移）、若しくは、他の刺激に応答して、又は、生物学的組織へ挿入している間に、展開可能部分１０４を留められた位置に保持するツールからの解放に応答して、第１の構成と第２の構成との間で遷移することができる、ニチノール、ステンレス鋼、コバルトクロム、これらの合金、又は、これらの組み合わせを含むが、これらに限定されない、自己拡張式のスマート材料を含むことができる。例えば、配置ツール又は他の装置は、装置１００を生物学的組織内の開口部（例えば、図３Ａに示されている）に挿入するために使用することができ、配置ツールは、挿入している間、展開可能部分１０４を留められた位置に保持する。挿入に続いて、又は、挿入処理の間に、ツールは、展開可能部分１０４を解放することができ、展開可能部分を展開された構成へと遷移する、留められた位置又は他の位置から外側へ向けて跳ねること（例えば、展開可能部分１０４を形成する物質の内部力（複数可）を通じて）を許容する。
【００１２】
展開可能部分１０４は、スリーブ１１４に連結されて示されているが（例えば、スリーブ１１４の外面に貼着されている、スリーブ１１４に溶接されている、又は、別の方法でスリーブ１１４に取り付けられている）、展開可能部分１０４は、代わりに、又は、追加で、コア１０６の一部分に取り付けられてもよい。実施形態では、展開可能部分１０４は、生物学的組織（例えば、図３Ｆに示すように）に対して、装置１００を支持するためのフランジ状の幾何学的形状を提供するために、第２の構成にあるときに、本体部分１０２から少なくとも部分的にカンチレバー状になる有線構造を含む。例えば、展開可能構造１０４は、本体部分１０２に連結された終点１２４を有する、ホタテ貝のようにカーブした（スカラップ状、scalloped）ワイヤ構成（例えば、図１Ａから図１Ｃに示されるように）を含むことができるが、これらに限定されない。ここでは、第２の構成において、展開可能部分１０４とフランジ１１６との間に生物学的組織を留めるためのフランジ状構造を提供するために、終点１２４の遠位側にあるスカラップ状ワイヤの上部１２６は、本体部分１０２から離れて延在する。実施形態では、上部１２６は、展開可能部分１０４が第１の構成にあるときに、長手方向に（例えば、第１の端部１１０から第２の端部１１２へ）、コア１０６の第１の端部１１０を越えて延在し、一方、展開可能部分１０４が第２の構成にあるときに、生来の生物学的組織とコア１０６の第１の端部１１０との間のギャップと、そこに形成されたチャンネル１０８と、を提供するように、展開可能部分１０４が第２の構成にあるときに、コア１０６の第１の端部１１０は、上部１２６を越えて延在する。このようなギャップは、内部の生物学的組織と内部の生物学的組織の外部環境（例えば、心臓の内部環境と心臓の外部環境との間）との間のアクセスにおいて危険な閉塞又は制限を引き起こし得る、生物学的組織によるチャンネル１０８の閉塞を防止するために、装置１００のチャンネル１０８（又は、その開口部）から適切な距離だけ離れて生物学的物質を留めることができる。
【００１３】
展開可能部分１０４は、生来の組織との安定した内部成長を支援するように構成されている。実施形態では、展開可能部分１０４の有線構造は、組織の内部成長及び安定した新生内膜の形成を支援するために、繊維状材料（例えば、織られた材料又は結合された材料）で被覆されている。例えば、展開可能部分１０４は、ポリテトラフルオロエチレン（ＰＴＦＥ）フェルト、ポリエチレンテレフタレート（ＰＥＴ）、ウシ心膜、又は、これらの組み合わせを含む材料を含むが、これらに限定されない。図１Ｄ、図２Ａ、図２Ｂ、図３Ｅ及び図３Ｆを参照すると、展開可能部分１０４は、有線構造によって支持された繊維状材料１２８を含む。例えば、繊維状材料１２８は、展開可能部分１０４が第２の構成にあるときに、繊維状材料１２８が生物学的物質（例えば、図３Ｆに示されるように）に隣接するように、本体部分１０２から遠位側にある有線構造の外面１３０（図１Ａ及び図１Ｂに示すように）に連結され得る。代わりに又は追加で、繊維状材料１２８は、展開可能部分１０４を覆う、又は、囲むように、展開可能部分１０４の有線構造の内面上に配置することができる。それゆえ、展開可能部分１０４は、閉塞を防止するために、生物学的物質を装置１００のチャンネル１０８（又は、その開口部）から離れた安全な距離に留めることができる。実施形態では、装置１００の第１の端部１１２は、フランジ１１６に追加して、又は、代えて、展開された構成にあるときに、フランジ状構造を形成する自己拡張性展開可能部分１０４Ｂを含むことができる。自己拡張性部分は、ニチノール、ステンレス鋼、コバルトクロム、これらの合金、若しくは、これらの組み合わせ、ポリテトラフルオロエチレン（ＰＴＦＥ）フェルト、ポリエチレンテレフタレート（ＰＥＴ）、ウシ心膜、若しくは、これらの組み合わせのうちの１つ又は複数を含むことができ、繊維状構造は、生物学的組織の内部成長を促進すると共に、第１の端部１１２における止血を助けるために、展開可能部分１０４Ｂに付加され得る。
【００１４】
図３Ａから図３Ｆを参照すると、装置１００は、心臓壁３００の内側に挿入されていることが示されているが、装置１００は、そのような用途に限定されるものではなく、他の組織又は器官と共に利用することができる。図３Ｂを参照すると、開口部３０２が、心臓壁３００内に作られている。開口部は、組織の切断及び除去、組織の拡張又は拡大、十字切開等を含むが、これらに限定されない、任意の適切な方法によって作ることができる。図３Ｃを参照すると、装置１００は、展開可能部分１０４が、第１の構成（例えば、ワイヤ構造が折り畳まれた、又は、留められた構成）にあり、第１の端部１１０が開口部３０２へ向けて配置された状態で、開口部３０２への挿入のために準備された状態で示されている。実施形態では、配置ツールは、装置１００を開口部３０２へ方向づけるために、展開可能部分１０４、又は、これらの組み合わせを、留められた位置に維持するために利用される。図３Ｄ及び図３Ｅを参照すると、装置１００は、展開可能部分１０４が第１の構成のままで、開口部３０２の内側の位置にある。装置１００が、開口部３０２の内側に位置しているとき、フランジ１１６は、心臓壁３００の組織（例えば、心外膜領域）の第１の表面３０４に対して、又は、これに隣接して配置されると共に、スリーブ１１４は、止血を提供するために、心臓壁３００に対して支持されている。
【００１５】
図３Ｆを参照すると、装置１００は、開口部３０２の内側の位置にあり、展開可能部分１０４は、第１の構成から第２の構成へ遷移している。このような遷移は、例えば、展開可能部分１０４の温度の変化によって、、配置ツールによる解放時の展開可能部分１０４の内力によって、又は、これらの組み合わせによって、促進することができ、展開可能部分１０４は、第１の温度における第１の構成で始まり、第２の温度にさらされると（例えば、個々の対象の身体によって暖められると）第２の構成に遷移する。実施形態において、ツールは、温度遷移時に、ツールが展開可能部分１０４の展開を許容する時まで、展開可能部分１０４の拡張を抑制するために、展開可能部分１０４を第１の構成に留めておくために使用される。例えば、配置ツールは、開口部３０２の内側に装置１００を配置する間、展開可能部分１０４を第１の構成において物理的に保持することができ、これに続く、配置ツールによる展開可能部分１０４の解放は、第１の構成から第２の構成への遷移を許容する（例えば、温度遷移への暴露を通じて、外側へ跳ね上がるための展開可能部分１０４の内力の許容を通じて、又は、これらの組み合わせによって）。示されるように、第２の構成では、展開可能部分１０４は、心臓壁３００の組織（例えば、心内膜領域）の第２の表面３０６に対して、又は、隣接して配置されている。実施形態において、装置１００は、生物学的組織に対して配置されたフランジ１１６の表面と展開可能部分１０４の有線構造の終点１２４との間の距離ｄ（図２Ａに示すように）を画定し、距離ｄは、開口部３０２を画定する組織の予想される幅に基づいて構成される。フランジ又はフランジ状装置を両方の表面３０４、３０６に組み込むことによって、装置１００は、単一の装置１００で、心臓壁３００又は他の生物学的組織の壁厚の変化を容易にすることができる。例えば、展開可能部分１０４の可撓性の性質は、フランジ１１６又は二次的な展開可能部分（例えば、展開可能部分１０４Ｂ）の位置決めに関して、心臓壁３００の厚さが変化する場合に、第２の表面３０６に対する滞留を提供することができる。
【００１６】
図４Ａ及び図４Ｂを参照すると、本体部分１０２に対する展開可能部分１０４の内部アタッチメントを有する装置１００が示されている。展開可能部分１０４の有線構造の終点１２４は、回転可能なコネクタ４００によって第１の端部１１０に隣接するコア１０６と連結されている。留められた構成（図４Ａに示すように）では、有線構造は、コア１０６上の回転可能なコネクタからチャンネル１０８へ向けて内向きに延在し、それから、第１の端部１１０を通過してチャンネルから外側へ鉛直に延在する。有線構造は、留められた構成にあるときに、コア１０６の内面１２２の鉛直境界部４０４によって限定された場所から展開された構成（図４Ｂに示すように）にあるときのスリーブ１１４の外面４０８の鉛直境界部４０６を越えて延在する位置へ遷移する、１つ又は複数のファン構造体４０２を含むことができるが、これらに限定されない。例えば、展開可能部分１０４の端部４１８は、展開可能部分１０４が留められた構成にあるとき、鉛直境界部４０４の内側に保持されており、端部４１８は、展開可能部分１０４が展開された構成にあるときに、チャンネル１０８から本体部分１０２の外面１１５への方向に鉛直境界部４０６を越えて延在する。実施形態では、装置１００は、回転可能なコネクタ４００の周りで有線構造の終点１２４を回転させて、ファン構造体４０２を外側に押し出すために（例えば、鉛直境界部４０６を通って）、ラム（ram）４１０又は展開可能部分１０４に物理的に接触する他の物体を使用して、留められた構成と展開された構成との間で遷移される。それから、ファン構造体４０２は、閉塞を防止するために、生物学的物質を装置１００のチャンネル１０８（又はその開口部）から離れた安全な距離に留めながら、生物学的組織の内部成長及び安定した新生内膜の形成を促進するように配置される。
【００１７】
実施形態では、コア１０６は、留められた構成と展開された構成との間で遷移するときに、展開可能部分１０４の有線構造の少なくとも一部を入れることができる１つ又は複数のチャンネル４１２を画定する。例えば、展開可能部分１０４の有線構造は、展開可能部分１０４が留められた構成にあるときに、回転可能なコネクタ４００に連結されると共に、チャンネル１０８内へ内向きに延在された、第１の部分４１４と、第１の部分４１４と連結されると共に、チャンネル１０８から外側へ延在し、ファン構造体４０２を終端する、第２の部分４１６と、を含むことができる。ファン構造体４０２を展開された構成に配置するために、チャンネル４１２を実質的に通過して、第１の部分４１４を実質的に鉛直に配置すると共に、本体部分１０２から外側へ向けて延在する第２の部分４１６を配置するように、第１の部分４１４は、留められた構成と展開された構成との間の遷移中に、コア１０６内のチャンネル４１２と結合させることができる。ラム４１０による補助展開に追加して、又は、代わりに、ファン構造体４０２を有する展開可能部分１０４は、工具が展開可能部分１０４の展開を許容するときまで、展開可能部分１０４の拡張を防止するために、装置１００の生物学的組織への挿入の間に配置ツールによって留められた構成に保持され得る。例えば、配置ツールは、生物学的組織の内側に装置１００を配置する間、展開可能部分１０４を留められた構成に物理的に保持することができ、それから、配置ツールによる展開可能部分１０４の解放は、留められた構成（図４Ａに示すように）から展開された構成（図４Ｂに示すように）への遷移を許容し、遷移は、温度遷移への曝露によって、外側に跳ね上げるために展開可能部分１０４の内力を許容することによって、又は、これらの組み合わせによって、促進される。
【００１８】
図５Ａ及び図５Ｂを参照すると、実施形態による展開可能部分１０４の内部アタッチメントを有する装置１００が示されている。展開可能部分１０４の有線構造の終点１２４は、コア１０６の内面１２２と連結されている。例えば、有線構造の少なくとも一部分は、留められた構成（図５Ａに示すように）にあるとき、チャンネル１０８の内部へ向けて、片持ち梁で支持されている。展開可能部分１０４は、ニチノール、ステンレス鋼、コバルトクロム、これらの合金、又は、これらの組み合わせを含むが、これらに限定されない自己拡張性材料から形成することができ、自己拡張性材料は、刺激（例えば、温度、電気信号、化学物質の存在、又は、このようなもの）に曝される、配置ツールによって解放されて、展開可能部分１０４を外側に跳ね上げる、展開可能部分１０４の内力を介して、又は、これらの組み合わせによって、留められた構成（図５Ａに示すように）と展開された構成（図５Ｂに示すように）との間で、展開可能部分を遷移させる。有線構造は、留められた構成にあるときの、コア１０６の内面１２２の鉛直境界部４０４によって限定された位置から、展開された構成（図５Ｂに示すように）にあるときの、スリーブ１１４の外面４０８の鉛直境界部４０６を越えて延在する位置へ遷移する、１つ又は複数のファン構造体４０２を含むことができるが、これに限定されない。例えば、展開可能部分１０４の端部４１８は、展開可能部分１０４が留められた構成にあるときに、鉛直境界部４０４の内側に保持され、端部４１８は、展開可能部分１０４が展開された構成にあるときに、チャンネル１０８から本体部分１０２の外面１１５へ向かう方向に鉛直境界部４０６を越えて延在する。コア１０６は、留められた構成と展開された構成との間で遷移したときに、展開可能部分１０４の有線構造の少なくとも一部を入れることができる、１つ又は複数のチャンネル４１２を画定することができる。例えば、展開可能部分１０４の有線構造は、展開可能部分１０４が留められた構成にあるときに、コア１０８の内面１２２に連結されると共に、チャンネル１０８の内部に内向きに延在された第１の部分４１４と、第１の部分４１４に連結されると共に、チャンネル１０８から外側へ延在し、ファン構造体４０２を終端する第２の部分４１６と、を含むことができる。ファン構造体４０２を展開された構成に配置するために、、チャンネル４１２の内部を実質的に通過させ、第１の部分４１４を実質的に垂直に配置すると共に、本体部分１０２から外向きに延在する第２の部分４１６を配置するように、留められた構成と展開された構成との間の遷移の間、第１の部分４１４は、コア１０６の内部のチャンネル４１２と結合させることができる。追加で、又は、代わりに、有線構造体をチャンネル４１２の内部へ押し込み、ファン構造体４０２を外向きに（例えば、鉛直境界部４０６を通って）押し出すことができるように、ラム４１０又は他の物体と展開可能部分１０４との間の物理的な接触を介した遷移を促進又は補助するために、ラム４１０又は他の物体が使用されてもよい。展開可能部分１０２が展開された位置にあるとき、ファン構造体４０２は、それから、閉塞を防止するために、生物学的物質を装置１００のチャンネル１０８（又はその開口部）から安全な距離だけ離して留めておきながら、生物学的組織の内部成長及び安定した新生内膜の形成を促進するように配置される。
【００１９】
図６Ａから図６Ｃを参照すると、止血弁シール６００が示されている。止血弁シール６００は、（図６Ａ及び図６Ｂに示すように）留められた構成にあるときに、流体の流れに対する障壁を提供するために、チャンネル１０８の少なくとも一部分に配置されるように構成されている。止血弁シール６００は、弁本体６０４に連結された複数の可撓性部材６０２を含む。可撓性部材６０２は、留められた構成にあるときには、弁本体６０４に形成された開口部を覆い、展開された構成にあるときには、開口部へのアクセスを許容する（図６Ｃに示すように）。実施形態では、可撓性部材６０２は、止血弁シール６００を通じた流体の流れを許容するために、例えば、導管、ポンプの一部、又は、このようなものを含む、物体６０６との物理的接触を通じて、留められた構成から展開された構成へと遷移されている。例えば、物体６０６は、物体６０６がチャンネル１０８内に止血弁シール６００を通じて配置されている間、流体の流れを促進するために、内部流路を含むことができる。実施形態では、物体６０６が導入されるまでの間、装置１００を通る生物学的流体（例えば、血液）の流れを抑制するために、止血弁シール６００は、生物学的組織の開口部の中への装置１００の展開の間に、又は、展開に続いて、装置１００に導入される。
【００２０】
課題は、構造的特徴及び／又は方法的行為に固有の言語で説明されてきたが、添付の特許請求の範囲に定義された課題は、必ずしも上述の特定の特徴又は行為に限定されないことが理解されるべきである。むしろ、上述した特定の特徴及び行為は、特許請求の範囲の実施の例示的な形態として開示されている。
【図１Ａ】
2021520975.tif 000003
【図１Ｂ】
2021520975.tif 000004
【図１Ｃ】
2021520975.tif 000005
【図１Ｄ】
2021520975.tif 000006
【図１Ｅ】
2021520975.tif 000007
【図１Ｆ】
2021520975.tif 000008
【図２Ａ】
2021520975.tif 000009
【図２Ｂ】
2021520975.tif 000010
【図３Ａ】
2021520975.tif 000011
【図３Ｂ】
2021520975.tif 000012
【図３Ｃ】
2021520975.tif 000013
【図３Ｄ】
2021520975.tif 000014
【図３Ｅ】
2021520975.tif 000015
【図３Ｆ】
2021520975.tif 000016
【図４Ａ】
2021520975.tif 000017
【図４Ｂ】
2021520975.tif 000018
【図５Ａ】
2021520975.tif 000019
【図５Ｂ】
2021520975.tif 000020
【図６Ａ】
2021520975.tif 000021
【図６Ｂ】
2021520975.tif 000022
【図６Ｃ】
2021520975.tif 000023
【国際調査報告】
2021520975.tif 000024
2021520975.tif 000025
2021520975.tif 000026